(57)【特許請求の範囲】
【請求項１】
駆動部と、この駆動部によって動作する施療部とを有し、この施療部が、可撓性を有する材質から成る基板と、この基板の表面に突出して設けられた複数の突起とで構成され、前記駆動部が、前記基板の周縁を前記駆動部に対する位置関係が固定された状態で着脱自在に保持する取付部と、前記基板の面と交差する方向にこの基板を撓ませる往復駆動手段と、前記駆動部の表面に設けられた操作スイッチ装置とを有して構成され、前記駆動部に設けられた窓孔に該窓孔を水密に封ずるように伸縮可能な第一シール部材を設けると共に、該第一シール部材に前記往復駆動手段の接続中継部材を設けたマッサージ装置において、
前記操作スイッチ装置が、前記駆動部の内外を貫通して設けられた貫通部と、前記貫通部に設けられた操作部と、この操作部により操作されるスイッチがスイッチ実装面に実装されたスイッチ基板と、前記貫通部に装着されて前記駆動部の内外を隔離するための可撓性を有する防水用の第二シール部材とを有して構成され、
この第二シール部材が、前記操作部とスイッチ基板の間に設けられ、このスイッチ基板のスイッチ実装側が前記シール部材によって水密に覆われると共に、この第二シール部材に膜状の襞部を設け、
かつ、前記スイッチ基板の他面に取付板の水平部が当接されて前記スイッチ基板と前記第二シール部材との間の空間が隔離されることを特徴とするマッサージ装置。
【請求項２】
前記第二シール部材の中央に、押圧突部を一体に形成したことを特徴とする請求項１記載のマッサージ装置。
【請求項３】
前記襞部が前記押圧突部を中心として環状に設けられることを特徴とする請求項２記載のマッサージ装置。
【発明の詳細な説明】
【技術分野】
【０００１】
本発明は、動力駆動のマッサージ装置に関するものであり、特に、洗髪時等における頭皮のマッサージや揉み出し洗い等に使用することができるマッサージ装置に関するものである。
【背景技術】
【０００２】
従来、この種のマッサージ装置として、駆動部と、この駆動部によって動作する施療部とを有し、この施療部が、可撓性を有する材質から成る前記基板と、この基板に突出して設けられた複数の突起とで構成され、前記駆動部が、ケース本体と、前記基板の周縁を前記駆動部に対する位置関係が固定された状態で着脱自在に保持する枠体（本発明の取付部に相当する）と、前記基板の面と交差する方向にこの基板を撓ませる往復駆動手段と、前記ケース本体の表面に設けられた操作部とで構成されるものが知られている。そして、このマッサージ装置は、マッサージの際に、前記ケース本体に設けられたスイッチを操作して、前記往復駆動手段を作動させることによって前記施療部の基板を撓ませることで、この基板の撓みに伴って、この基板に設けられた複数の前記突起を繰り返し倒したり起こしたりさせることで相互に開閉させ、この相互に開閉する突起によって、揉んだり擦ったり叩いたりするように、頭皮を複雑にマッサージすることができるものである。これは、図５及び図６に示すように、駆動部１０１により駆動される施療部１０２における基板１０３が下に撓んだ湾曲凸状態と上に撓んだ湾曲凹状態との間で変形を繰り返す際、複数種類の突起１０４，１０５，１０６が、前記基板１０３の撓みに伴って動くことで、前記突起１０４，１０５，１０６によって頭皮Ｓを指先で行うようにマッサージすることができるというものである。
【特許文献１】特開２００７−２２９１５９号公報
【発明の開示】
【発明が解決しようとする課題】
【０００３】
ところで、このようなマッサージ装置は、洗髪時等でも使用できるようにするために、前記操作部の内側に防水用のシール部材が設けられている。しかしながら、このようなマッサージ装置においては、前記往復駆動手段の動作に伴って変動する前記駆動部内の圧力の影響を受けさせないようにするために、また、万が一前記シール部材が破損したとしても、侵入した水の影響が前記駆動部全体に及ばないようにするために、前記操作部によって操作されるスイッチが実装されたスイッチ基板が、前記駆動部内における他の部分から隔離されている。具体的には、前記シール部材の外周を、前記ケース本体に形成された貫通部の縁と前記スイッチ基板の外周部とで挟持することで、前記駆動部内全体がシールされると共に、前記スイッチ基板のスイッチ実装面が前記シール部材によって水密に覆われる。また、前記スイッチ基板の他面側が、取付板等で塞がれることによって、前記スイッチ基板のスイッチ実装面とシール部材とで囲まれる空間は、他の前記駆動部内空間から隔離されている。しかしながら、前記スイッチ基板のスイッチ実装面とシール部材とで囲まれる空間は狭いので、前記操作部を押圧することで前記空間の容積が少し小さくなっただけでも、前記空間内の圧力が大幅に高くなってしまう。このため、従来のマッサージ装置では、前記操作部の操作感が重いという問題があった。また、このように圧力が大幅に高くなった状態でも前記スイッチを操作することができるように、前記操作部に棒状の押圧体を形成しなければならなかった。そして、長期間このようなマッサージ装置を使用した場合、前記押圧体が前記シール部材を破損させてしまう虞もあった。
【０００４】
本発明は以上の問題点を解決し、軽い力で確実に操作できる操作スイッチ装置を有するマッサージ装置を提供することを目的とする。
【課題を解決するための手段】
【０００５】
請求項１の発明は、駆動部と、この駆動部によって動作する施療部とを有し、この施療部が、可撓性を有する材質から成る基板と、この基板の表面に突出して設けられた複数の突起とで構成され、前記駆動部が、前記基板の周縁を前記駆動部に対する位置関係が固定された状態で着脱自在に保持する取付部と、前記基板の面と交差する方向にこの基板を撓ませる往復駆動手段と、前記駆動部の表面に設けられた操作スイッチ装置とを有して構成され、前記駆動部に設けられた窓孔に該窓孔を水密に封ずるように伸縮可能な第一シール部材を設けると共に、該第一シール部材に前記往復駆動手段の接続中継部材を設けたマッサージ装置において、前記操作スイッチ装置が、前記駆動部の内外を貫通して設けられた貫通部と、前記貫通部に設けられた操作部と、この操作部により操作されるスイッチがスイッチ実装面に実装されたスイッチ基板と、前記貫通部に装着されて前記駆動部の内外を隔離するための可撓性を有する防水用の第二シール部材とを有して構成され、この第二シール部材が、前記操作部とスイッチ基板の間に設けられ、このスイッチ基板のスイッチ実装側が前記シール部材によって水密に覆われると共に、この第二シール部材に膜状の襞部を設け、かつ、前記スイッチ基板の他面に取付板の平面部が当接されて前記スイッチ基板と前記第二シール部材との間の空間が隔離されることを特徴とするマッサージ装置である。
【０００６】
また、請求項２の発明は、前記第二シール部材の中央に、押圧突部を一体に形成したことを特徴とする請求項１記載のマッサージ装置である。
【０００７】
更に、請求項３の発明は、前記襞部が前記押圧突部を中心として環状に設けられることを特徴とする請求項２記載のマッサージ装置である。
【発明の効果】
【０００８】
請求項１の発明によれば、前記操作部を押して前記スイッチを操作する際、前記第二シール部材が前記スイッチ側に押されて変形することで、前記第二シール部材とスイッチ基板とで囲まれた空間内の空気を圧縮することになるが、この圧縮された空気が、前記第二シール部材の膜状の襞部を前記スイッチ基板から離れる方向に押し出すように変形させることで、前記スイッチ基板と第二シール部材とで囲まれる狭い空間内の圧力上昇を緩和し、前記操作部の操作感が重くならないようにすることができる。また、前記スイッチ基板と前記第二シール部材との間の狭い空間は他の空間から隔離されているので、前記狭い空間以外の空間の圧力がどのように変動したとしても、前記狭い空間内の圧力に影響を与えることはない。
【０００９】
また、請求項２の発明によれば、前記空間内の圧力上昇が緩和されることで、前記第二シール部材に一体形成された押圧突部によって前記スイッチを確実に押すことができるので、従来のように前記操作部に棒状の押圧体を形成する必要がなくなり、これによって、第二シール部材の破損を抑制することができる。
【００１０】
更に、請求項３の発明によれば、前記押圧突起を中心として前記襞部全体が全周に亘って均一に弾性変形するので、前記襞部の変形量を小さくすることができ、これによって、特定の個所が大きく変形することによる第二シール部材の破損を抑制することができるばかりでなく、変形した襞部が前記操作部に当接しにくくなるので、前記操作部の操作感が重くならないようにすることができる。
【発明を実施するための最良の形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例】
【００１２】
図１〜図４は一実施例を示している。なお、本例においては、図２の姿勢を基準として上下を規定する。１は本発明のマッサージ装置である。このマッサージ装置１は、駆動部としてのマッサージ装置本体２と、このマッサージ装置本体２の下部側に着脱自在に保持される施療部３とを有して構成されている。そして、この施療部３は、基板４と、この基板４の下面と交差する方向である下方側に突出して一体に設けられた３種類の突起５，６，７とで構成されている。また、前記基板４は、平面視で楕円状であって、可撓性及び弾性を有するエラストマーによって形成されている。そして、前記基板４の縁４Ａは、前記マッサージ装置本体２の下縁側に固定されている。なお、ここで言う「固定」とは、多少の動きを許容して接続される状態を含むものであり、本実施例では、前記基板４の縁４Ａを前記マッサージ装置本体２の下面に沿って形成された溝状の取付部８に嵌合させることで、両者を全周に亘って着脱自在に接続している。また、第一乃至第三突起５，６，７は、それぞれ先細で且つ先端が丸められた裁頭円錐形状である。そして、これらの突起５，６，７は、前記基板４のほぼ中央を上下に通る仮想的な中心軸線Ｘを中心として、前記基板４の縁４Ａに沿って配置される楕円状の仮想外側輪Ｏと、その内側に配置される楕円状の仮想中間輪Ｍと、その内側に配置される円状の仮想内側輪Ｉに沿ってそれぞれ設けられている。
【００１３】
前記マッサージ装置本体２は、片手で把握可能な大きさである。そして、前記マッサージ装置本体２は、底面側が開口したフレーム２Ａと、このフレーム２Ａの開口した底面側を閉塞する底面部２Ｂと、前記フレーム２Ａの外面を覆う外殻体２Ｃとを有して構成されている。そして、前記底面部２Ｂは、底板９と第一シール部材１１とを有する。なお、前記取付部８は、前記底板９に形成されている。そして、前記底板９は、平面視で楕円状に形成されており、前記フレーム２Ａの底縁にその外周が固定されていると共に、前記底板９の中央部には上下方向に貫通する円形の窓孔１０が形成されており、この窓孔１０を覆って伸縮可能な前記第一シール部材１１が設けられている。この第一シール部材１１は、例えばゴム或いは合成ゴムやエラストマー等の可撓性を有する材質から成る蛇腹状の膜によって、前記窓孔１０を水密に封ずるように設けられている。そして、前記マッサージ装置本体２の内部には、前記基板４の中央部を上下方向に往復動させる往復駆動手段１２が設けられている。この往復駆動手段１２は、前記底板９上に設けられる駆動源としてのモータ１３と、このモータ１３のモータ軸１３Ａに減速歯車機構１４を介して接続されるクランク機構１５と、このクランク機構１５の偏心軸１５Ａに対して一側が連結されるコンロッド１６を備えている。なお、前記第一シール部材１１のほぼ中央には、接続中継部材１７が一体的に取り付けられている。この接続中継部材１７は、その上面側と前記コンロッド１６の他側とで前記第一シール部材１１を挟持して固定すると共に、その下面側にフック１７Ａが設けられており、このフック１７Ａに前記基板４中央の上面に設けられたフック受け部４Ｂが着脱自在に接続されている。従って、前記接続中継部材１７は、前記モータ１３の回転運動が前記クランク機構１５とコンロッド１６とで往復運動に変換されることで、上下方向に往復運動するようになっている。これにより、前記フック受け部４Ｂが設けられた位置が、前記基板４における最大振幅部となり、その振幅は、前記クランク機構１５の中心軸から前記偏心軸１５Ａまでの偏心距離Ｆの２倍（２Ｆ）となる。また、前記フック受け部４Ｂ及び接続中継部材１７を通って上下方向に仮想的な前記中心軸線Ｘが形成される。また、前記マッサージ装置本体２の内部には、前記モータ１３に電力を供給するための二次電池１８が設けられていると共に、前記マッサージ装置本体２の上面側表面には、前記モータ１３を操作するための操作スイッチ装置１９が設けられている。
【００１４】
前記操作スイッチ装置１９について詳述する。この操作スイッチ装置１９は、前記マッサージ装置本体２に形成された貫通部２０と、この貫通部２０に設けられた操作部２１と、スイッチ２２が実装されたスイッチ基板２３と、前記操作部２１とスイッチ基板２３との間に設けられた防水用の第二シール部材２４と、前記スイッチ基板２３を前記フレーム２Ａに固定するための取付板２５とを有して構成されている。
【００１５】
前記貫通部２０は、前記フレーム２Ａに形成された貫通孔２６と、この貫通孔２６から内側に延びた内側環状リブ２６Ａと、この内側環状リブ２６Ａと同心状に形成された外側環状リブ２６Ｂと、前記貫通孔２６の内側に取り付けられた短円筒状のリング部材２７と、このリング部材２７を露出させるように、前記貫通孔２６に対応して前記外殻体２Ｃに形成された貫通孔２８とで構成されている。なお、前記リング部材２７は透光性を有する材質から構成されている。また、前記リング部材２７には、その外面に前記貫通孔２６からの脱落を防止するためのフランジ部２７Ａが形成されていると共に、その内面に段差部２７Ｂが形成されている。
【００１６】
また、前記操作部２１は、ほぼ円盤状に形成されていると共に、その外縁部に、前記段差部２７Ｂと当接可能なフランジ部２１Ａが形成されており、このフランジ部２１Ａによって、前記操作部２１が前記リング部材２７から抜け止めされている。そして、前記操作部２１の内面側には、平坦な押圧面２１Ｂが形成されている。
【００１７】
また、前記スイッチ基板２３におけるスイッチ実装面２３Ａには、前記スイッチ２２の他に、複数の発光ダイオード２９が実装されている。なお、前記モータ１３の回転速度が停止を含めてｎ段階に設定可能な場合、前記発光ダイオード２９はｎ個実装される。これらのｎ個の発光ダイオード２９のうち、ｎ−１個は前記モータ１３の回転速度表示用であり、１個は充電表示用である。そして、前記スイッチ基板２３の他面２３Ｂには、前記スイッチ基板２３を図示しない制御回路に接続するためのコネクタ３０が実装されている。また、前記スイッチ基板２３は、位置決めのために一部が切り欠かれた円形に形成されている。更に、前記スイッチ基板２３には、スイッチ実装面２３Ａの配線パターンと他面２３Ｂの配線パターンを接続するための小径の通孔（図示せず）が複数形成されている。
【００１８】
また、前記第二シール部材２４は、ゴム弾性及び透光性を有する材質から構成されている。そして、この第二シール部材２４は、環状の被挟持部２４Ａと、この被挟持部２４Ａの外縁に形成された短円筒状の圧入リブ２４Ｂと、前記被挟持部２４Ａの内側に形成された膜状の襞部２４Ｃと、この襞部２４Ｃの内側に形成された被押圧部２４Ｄと、この被押圧部２４Ｄの内側に形成された押圧突部２４Ｅとを有して一体に形成されている。前記被挟持部２４Ａは、前記リング部材２７とスイッチ基板２３とで挟持される。なお、前記被挟持部２４Ａの前記スイッチ基板２３側には、このスイッチ実装面２３Ａとの密着性を高めるための環状の突条が形成されている。（この突条は、前記リング部材２７とスイッチ基板２３とで挟持されることで潰れるため、図３には表れない。）更に、前記圧入リブ２４Ｂは、前記フレーム２Ａに形成された内側環状リブ２６Ａと外側環状リブ２６Ｂとの間に圧入されて、これら内側環状リブ２６Ａと外側環状リブ２６Ｂに密着する。これによって、前記第二シール部材２４は、前記フレーム２Ａ内を水密に保つように、このフレーム２Ａに保持される。また、図示しない前記突条が前記スイッチ基板２３のスイッチ実装面２３Ａに密着することで、前記スイッチ基板２３と第二シール部材２４との間に空間Ｃが形成される。また、前記襞部２４Ｃは、前記第二シール部材２４の他の部分よりも相対的に薄く形成されていることで、他の部分よりも相対的に変形しやすい。そして、前記襞部２４Ｃは、折り返し部２４Ｆにおいて１回折り返されることで、前記スイッチ基板２３側に突出した断面Ｖ字状となっている。なお、前記折り返し部２４Ｆは、前記スイッチ基板２３側に突出しているため、前記操作部２１側から見て環状に凹んでいる。従って、前記操作部２１と襞部２４Ｃとの間には、環状の空間Ｒが形成される。なお、この空間Ｒは、前記リング部材２７と操作部２１とがシールされていないため、前記マッサージ装置本体２の外部空間と連通している。また、前記被押圧部２４Ｄは、前記押圧面２１Ｂと面接触するように、平坦に形成されている。更に、前記押圧突部２４Ｅは、前記第二シール部材２４の他の部分よりも相対的に厚く形成されていることで、他の部分よりも相対的に変形しにくい。そして、前記押圧突部２４Ｅは、前記第二シール部材２４の中央に設けられており、前記押圧突部２４Ｅを中心として、前記被押圧部２４Ｄ、襞部２４Ｃ、被挟持部２４Ａ及び圧入リブ２４Ｂが同軸状で且つ環状に形成されている。また、前記押圧突部２４Ｅは、その内端が前記スイッチ２２の可動部２２Ａに当接する。
【００１９】
更に、前記取付板２５は、前記フレーム２Ａにビス等で固定されることで、このフレーム２Ａの内側環状リブ２６Ａとの間で、前記リング部材２７のフランジ部２７Ａと、前記第二シール部材２４の被挟持部２４Ａと、前記スイッチ基板２３を挟持するものである。そして、前記取付板２５には、前記スイッチ基板２３の他面２３Ｂと当接する平面部２５Ａが形成されている。なお、この平面部２５Ａには、前記コネクタ３０に対応して貫通孔２５Ｂが形成されている他は、孔が形成されていない。従って、前記平面部２５Ａが前記スイッチ基板２３の他面２３Ｂに当接することで、前記スイッチ基板２３に形成された図示しない前記通孔が塞がれる。これによって、前記空間Ｃは他の空間から隔離される。
【００２０】
次に、前記構成について、その作用を説明する。頭皮Ｓのマッサージを行ったり揉み出し洗いを行ったりする場合、まず使用者は、前記マッサージ装置本体２を把持し、前記操作スイッチ装置１９の操作部２１を図示しない使用者の指で前記スイッチ２２側に押圧する。このように、前記操作部２１が押圧されると、この操作部２１の押圧面２１Ｂと面接触している前記第二シール部材２４の被押圧部２４Ｄも前記スイッチ２２側に押されるので、この被押圧部２４Ｄと一体に形成されている前記押圧突部２４Ｅも前記スイッチ２２側に移動する。そして、前記押圧突部２４Ｅが前記スイッチ２２側に移動すると、この押圧突部２４Ｅによって前記スイッチ２２の可動部２２Ａが押されることになる。なお、前述したように、前記スイッチ基板２３と第二シール部材２４とで囲まれた狭い前記空間Ｃが他の空間から隔離されていることにより、前記操作部２１、ひいては前記第二シール部材２４の被押圧部２４Ｄが前記スイッチ２２側に押されると、前記空間Ｃ内が圧縮されることになる。しかしながら、この空間Ｃ内の圧縮された空気は、前記操作部２１側から見て凹んだ前記折り曲げ部２４Ｆを伸ばして前記襞部２４Ｃを前記スイッチ基板２３から離れる方向に押し出すように弾性変形させる。これによって、前記空間Ｃ内の圧力上昇が緩和され、前記操作部２１の操作感が重くならないようにすることができる。なお、前述したように、前記操作部２１と襞部２４Ｃとの間に環状の空間Ｒが形成されているため、弾性変形した前記襞部２４Ｃの行き場が空間Ｒに確保されている。また、前記空間Ｒが前記マッサージ装置本体２の外部空間と連通しているので、前記操作部２１を押しても、前記空間Ｒの内圧が上昇せず、前記襞部２４Ｃの前記空間Ｒ側への変形を妨げることもない。また、前記襞部２４Ｃは、前記押圧突部２４Ｅを中心として環状に形成されているので、前記襞部２４Ｃが弾性変形する際には、前記襞部２４Ｃ全体が全周に亘って均一に弾性変形することになる。これによって、前記襞部２４Ｃが局所的に大きく変形したりせず、全体的に小さく変形させることができるので、前記第二シール部材２４の特定個所が破損することを抑制することができるばかりでなく、変形した前記襞部２４Ｃが前記操作部２１に当接しにくくなるので、前記操作部２１の操作感が重くならないようにすることができる。更に、前記空間Ｃ内の圧力上昇が緩和されることで、前記空間Ｃ内の圧力によって前記押圧突部２４Ｅが変形したりしないので、前記押圧突部２４Ｅを支えるための棒状の構造体が不要となり、前記押圧突部２４Ｅのみによって前記スイッチ２２の可動部２２Ａを確実に押すことができる。これによって、従来用いられてきた棒状の固い構造体によって前記第二シール部材２４が押されないので、前記第二シール部材２４の破損が抑制される。また、前記スイッチ２２の可動部２２Ａが、弾性変形可能な前記押圧突部２４Ｅのみによって押圧されるので、前記操作部２１を強く押しすぎてしまった場合でも、前記押圧突部２４Ｅが弾性変形する。これによって、前記可動部２２Ａの押圧力を緩和して前記スイッチ２２の破損を抑制することができる。なお、前記操作部２１から指（図示せず）を離して押圧力を解除すると、前記スイッチ２２の可動部２２Ａの復元力、前記第二シール部材２４自体の復元力、及び僅かに上昇した前記空間Ｃの内圧によって、前記操作部２１が、そのフランジ部２１Ａが前記リング部材２７の段差部２７Ｂと当接するまで押し戻されて復帰する。
【００２１】
次に、前記操作部２１及び第二シール部材２４を介して前記スイッチ２２の可動部２２Ａを押すと、図示しない前記制御回路によって、前記電池１８から電力が給電されることで、前記モータ１３が作動して前記モータ軸１３Ａが回転すると共に、一部の前記発光ダイオード２９が点灯する。なお、前記モータ１３の回転速度が停止を含めてｎ段階に設定可能な場合、前記モータ１３は、前記スイッチ２２を１回押す毎に回転速度が変化してゆき、前記スイッチ２２をｎ回押すと停止する。同様に、前記モータ１３の回転速度が停止を含めてｎ段階に設定可能な場合、前記発光ダイオード２９は、前記スイッチ２２を１回押す毎に点灯する個数が変化してゆき、前記スイッチ２２をｎ回押すと全て消灯する。そして、前記モータ１３の回転に伴い、前記モータ軸１３Ａに前記減速歯車機構１４を介して接続された前記クランク機構１５が回転し、このクランク機構１５及びこのクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板４は、前記接続中継部材１７に接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返し、その前記最大振幅個所における振幅は、前記クランク機構の中心軸から偏心軸１５Ａまでの偏心距離Ｆの２倍（２Ｆ）となる。また、前記発光ダイオード２９が発した光は、透光性を有する前記第二シール部材２４及びリング部材２７を介して、このリング部材２７の外端部から放射される。これによって、使用者は前記マッサージ装置１の動作状態を視認することができる。
【００２２】
このように、前記施療部３の基板４が下に撓んだ湾曲凸状態と上に撓んだ湾曲凹状態との間で変形を繰り返している状態で、使用者は、前記マッサージ装置本体２を把持し、前記突起５，６，７の先端部を前記頭皮Ｓに押し当てて手で保持する。これにより、主として前記第一突起５は、前記中心軸線Ｘを中心としてその内側方向に傾斜したり、或いはその後起立したりすることを繰り返すことで、前記頭皮Ｓを揉むようにしてマッサージを行うことができる。また、前記第二突起６は、前記第一突起５よりも短いため、前記中心軸線Ｘを中心としてその内側方向に傾斜したり、或いはその後起立したりすることを繰り返すことで、前記頭皮Ｓに対して先端が擦るようにしてマッサージを行うことができる。また、前記第三突起７は、前記基板４の撓みによって、前記頭皮Ｓに対して当接と離間を繰り返すことで、前記頭皮Ｓを軽く叩くようにしてマッサージを行うことができる。
【００２３】
なお、前記モータ１３の回転に伴い、前記接続中継部材１７が繰り返し上下に往復動することで、前記第一シール部材１１が撓んで前記フレーム２Ａ内の空間の内圧が変動する。しかしながら、前述したように、前記空間Ｃが他の空間から隔離されていることで、前記フレーム２Ａ内における前記空間Ｃ以外の空間の内圧がどのように変動したとしても、前記空間Ｃ内の圧力に影響を与えない。従って、前記モータ１３の作動状態によらず、前記スイッチ装置１９の操作感を一定に保つことができる。
【００２４】
以上のように、前記実施例においては、可撓性を有する基板４とこの基板４の面と交差するように基板４に設けられた複数の突起５，６，７から成る施療部３を、駆動部としてのマッサージ装置本体２の取付部８及び前記マッサージ装置本体２内の往復駆動手段１２に、前記マッサージ装置本体２に対する位置関係が固定された状態で着脱自在に保持させ、前記往復駆動手段１２によって前記基板４をその表面４Ｓと交差する方向に繰り返し撓ませることで、前記各突起５〜７によって頭皮Ｓ等を洗浄又はマッサージするマッサージ装置１であって、前記往復駆動手段１２を操作するための操作スイッチ装置１９が、前記マッサージ装置本体２に設けられた貫通部２０と、この貫通部２０に設けられた操作部２１と、スイッチ２２が実装されたスイッチ基板２３と、前記操作部２１とスイッチ基板２３との間に設けられて前記スイッチ基板２３のスイッチ実装面２３Ａを水密に覆う防水用の第二シール部材２４とを有して構成されると共に、この第二シール部材２４に膜状の襞部２４Ｃを設けたことによって、前記操作部２１を押して前記スイッチ２２を操作する際、前記第二シール部材２４とスイッチ基板２３とで囲まれた狭い空間Ｃ内の圧縮された空気が、前記第二シール部材２４の変形しやすい襞部２４Ｃを前記スイッチ基板２３から離れる方向に押し出すように変形させることで、前記空間Ｃ内の圧力上昇を緩和して前記操作部２１の操作感が重くならないようにすることができる。
【００２５】
また、前記空間Ｃ内の圧力上昇が緩和されることで、前記第二シール部材２４に一体形成された押圧突部２４Ｅによって前記スイッチ２２を確実に押すことができるので、従来のように前記操作部２１に棒状の構造体を形成する必要がなくなり、これによって、前記第二シール部材２４の破損を抑制することができる。
【００２６】
更に、前記押圧突起２４Ｅを中心として環状に前記襞部２４Ｃが形成されていることにより、前記襞部２４Ｃ全体が全周に亘って均一に弾性変形するので、前記襞部２４Ｃの変形量を小さくすることができ、これによって、特定の個所が大きく変形することによる前記第二シール部材２４の破損を抑制することができるばかりでなく、変形した前記襞部２４Ｃが前記操作部２１に当接しにくくなるので、前記操作部２１の操作感が重くならないようにすることができる。
【００２７】
なお、本発明のマッサージ装置は、以上の実施例に限定されるものではなく、発明の要旨の範囲内で種々の変形実施が可能である。例えば、上記実施例では、前記襞部の断面形状をＶ字状としたが、要は、前記襞部が圧力で変形しやすく且つ膨らんだ前記襞部の逃げ場が前記操作部との間に確保されていれば良いので、断面形状がＵ字状となるようにしても良く、また、折り返し部を複数設けてＷ字状となるように形成しても良い。
【産業上の利用可能性】
【００２８】
以上のように本発明に係るマッサージ装置は、各種の用途に適用できる。
【図面の簡単な説明】
【００２９】
【図１】本発明の一実施例を示す斜視図である。
【図２】本発明の一実施例を示す断面図である。
【図３】本発明の一実施例を示す要部の断面図である。
【図４】本発明の一実施例を示す分解斜視図である。
【図５】従来例を示す湾曲凸状態の基板まわりの断面図である。
【図６】従来例を示す湾曲凹状態の基板まわりの断面図である。
【符号の説明】
【００３０】
１  マッサージ装置
２  マッサージ装置本体（駆動部）
３  施療部
４  基板
４Ａ  縁
４Ｓ  表面
５  第一の突起（突起）
６  第二の突起（突起）
７  第三の突起（突起）
８  取付部
１０  窓孔
１１  第一シール部材
１２  往復駆動手段
１７  接続中継部材
１９  操作スイッチ装置
２０  貫通部
２１  操作部
２２  スイッチ
２３  スイッチ基板
２３Ａ  スイッチ実装面
２３Ｂ  他面
２４  第二シール部材
２４Ｃ  襞部
２４Ｅ  押圧突部
２５  取付板
２５Ａ  平面部
Ｃ  空間
【図１】
0004793766.tif 000002
【図２】
0004793766.tif 000003
【図３】
0004793766.tif 000004
【図４】
0004793766.tif 000005
【図５】
0004793766.tif 000006
【図６】
0004793766.tif 000007